(57)【特許請求の範囲】
【請求項１】
ワイヤレス通信のための方法であって、
デバイス間（Ｄ２Ｄ）ソースから定期的なスケジュールで送信される複数のＤ２Ｄ同期信号を備える同期サイクルを決定することと、
前記定期的なスケジュールに少なくとも部分的に基づいて前記同期サイクル中に生じる前記Ｄ２Ｄ同期信号の少なくとも２つの連続的な送信についての開始時間に少なくとも部分的に基づいて監視期間を決定すること、ここにおいて、前記監視期間は複数の時間ブロックを備え、ここにおいて、前記同期サイクルの持続時間が、複数の監視期間を備える、と、
前記監視期間の持続時間に少なくとも部分的に基づいて、複数のサブ監視期間を決定すること、ここにおいて、前記複数のサブ監視期間の累積持続時間が、前記監視期間の前記持続時間と同じである、ここにおいて、前記複数のサブ監視期間の各々が、異なる時間ブロック中にスケジュールされる、と、
前記複数のサブ監視期間に少なくとも部分的に基づいて、前記複数のＤ２Ｄ同期信号のうちの少なくとも１つについて監視することと
を備える方法。
【請求項２】
前記複数のサブ監視期間を決定することが、
前記同期サイクル中に生じる前記複数の監視期間の一部分の間に生じるように前記複数のサブ監視期間をスケジュールすること、ここにおいて、前記複数のサブ監視期間の各々が、異なる監視期間中にスケジュールされる、
を備える、請求項１に記載の方法。
【請求項３】
前記複数のサブ監視期間を決定することが、
前記同期サイクル中の各監視期間中に生じるように前記複数のサブ監視期間のうちの少なくとも１つをスケジュールすること、ここにおいて、前記複数のサブ監視期間の各々が、異なる監視期間中にスケジュールされる、
を備える、請求項１に記載の方法。
【請求項４】
前記複数のサブ監視期間の各々が連続的にスケジュールされる、
ここにおいて、前記複数のサブ監視期間を連続的にスケジュールすることが、特に、
第１の監視期間の第１の時間ブロック中に第１のサブ監視期間をスケジュールすることと、
第２の監視期間の第２の時間ブロック中に第２のサブ監視期間をスケジュールすること、ここで、前記第２の監視期間の前記第２の時間ブロックが、前記第２の監視期間の第１の時間ブロックに隣接する、と
を備える、請求項３に記載の方法。
【請求項５】
前記複数のサブ監視期間の各々が非連続的にスケジュールされる、
ここにおいて、前記複数のサブ監視期間を非連続的にスケジュールすることが、特に、
第１の監視期間の第１の時間ブロック中に第１のサブ監視期間をスケジュールすることと、
第２の監視期間の第２の時間ブロック中に第２のサブ監視期間をスケジュールすること、ここで、前記第２の監視期間の前記第２の時間ブロックが、前記第２の監視期間の第１の時間ブロックに隣接しない、と
を備える、請求項３に記載の方法。
【請求項６】
前記複数のサブ監視期間の各々が、サブ監視持続時間を備え、各サブ監視持続時間は同じ長さである、
または、前記複数のサブ監視期間の各々が、サブ監視持続時間を備え、サブ監視持続時間のうちの少なくとも２つが異なる長さである、請求項１に記載の方法。
【請求項７】
前記複数のサブ監視期間が、各同期サイクルについての異なる監視期間中にスケジュールされる、
または、前記複数のサブ監視期間が、各同期サイクルについての同じ監視期間中にスケジュールされる、
または、各スケジュールされたサブ監視期間の時間ブロックが、前記Ｄ２Ｄソースの識別情報とＤ２Ｄサブフレーム番号のうちの１つまたは複数に少なくとも部分的に基づいて決定される、請求項２に記載の方法。
【請求項８】
各スケジュールされたサブ監視期間の時間ブロックが、前記Ｄ２Ｄソースの識別情報とＤ２Ｄサブフレーム番号のうちの１つまたは複数に少なくとも部分的に基づいて決定される、請求項３に記載の方法。
【請求項９】
ワイヤレス通信のための装置であって、
デバイス間（Ｄ２Ｄ）ソースから定期的なスケジュールで送信される複数のＤ２Ｄ同期信号を備える同期サイクルを決定するための手段と、
前記定期的なスケジュールに少なくとも部分的に基づいて前記同期サイクル中に生じる前記Ｄ２Ｄ同期信号の少なくとも２つの連続的な送信についての開始時間に少なくとも部分的に基づいて監視期間を決定するための手段、ここにおいて、前記監視期間は複数の時間ブロックを備え、ここにおいて、前記同期サイクルの持続時間が、複数の監視期間を備える、と、
前記監視期間の持続時間に少なくとも部分的に基づいて、複数のサブ監視期間を決定するための手段、ここにおいて、前記複数のサブ監視期間の累積持続時間が、前記監視期間の前記持続時間と同じである、ここにおいて、前記複数のサブ監視期間の各々が、異なる時間ブロック中にスケジュールされる、と、
前記複数のサブ監視期間に少なくとも部分的に基づいて、前記複数のＤ２Ｄ同期信号のうちの少なくとも１つについて監視するための手段と
を備える装置。
【請求項１０】
ワイヤレス通信のための装置であって、
プロセッサと、
前記プロセッサと電子通信しているメモリと、
前記メモリに記憶されている命令と
を備え、前記命令が、
デバイス間（Ｄ２Ｄ）ソースから定期的なスケジュールで送信される複数のＤ２Ｄ同期信号を備える同期サイクルを決定することと、
前記定期的なスケジュールに少なくとも部分的に基づいて前記同期サイクル中に生じる前記Ｄ２Ｄ同期信号の少なくとも２つの連続的な送信についての開始時間に少なくとも部分的に基づいて監視期間を決定すること、ここにおいて、前記監視期間は複数の時間ブロックを備え、ここにおいて、前記同期サイクルの持続時間が、複数の監視期間を備える、と、
前記監視期間の持続時間に少なくとも部分的に基づいて、複数のサブ監視期間を決定すること、ここにおいて、前記複数のサブ監視期間の累積持続時間が、前記監視期間の前記持続時間と同じである、ここにおいて、前記複数のサブ監視期間の各々が、異なる時間ブロック中にスケジュールされる、と、
前記複数のサブ監視期間に少なくとも部分的に基づいて、前記複数のＤ２Ｄ同期信号のうちの少なくとも１つについて監視することと
を行うように前記プロセッサによって実行可能である、装置。
【請求項１１】
前記複数のサブ監視期間の各々が、サブ監視持続時間を備え、各サブ監視持続時間は同じ長さである、
または、前記複数のサブ監視期間の各々が、サブ監視持続時間を備え、サブ監視持続時間のうちの少なくとも２つが異なる長さである、請求項９または１０に記載の装置。
【請求項１２】
前記複数のサブ監視期間を決定するための前記命令が、
前記同期サイクル中に生じる前記複数の監視期間の一部分の間に生じるように前記複数のサブ監視期間をスケジュールすること、ここにおいて、前記複数のサブ監視期間の各々が、異なる監視期間中にスケジュールされる、
を行うように前記プロセッサによってさらに実行可能である、請求項１０に記載の装置。
【請求項１３】
前記複数のサブ監視期間が、各同期サイクルについての異なる監視期間中にスケジュールされる、
または、前記複数のサブ監視期間が、各同期サイクルについての同じ監視期間中にスケジュールされる、
または、各スケジュールされたサブ監視期間の時間ブロックが、前記Ｄ２Ｄソースの識別情報とＤ２Ｄサブフレーム番号のうちの１つまたは複数に少なくとも部分的に基づいて決定される、請求項１２に記載の装置。
【請求項１４】
前記複数のサブ監視期間を決定するための前記命令が、
前記同期サイクル中の各監視期間中に生じるように前記複数のサブ監視期間のうちの少なくとも１つをスケジュールすること、ここにおいて、前記複数のサブ監視期間の各々が、異なる監視期間中にスケジュールされる、
を行うように前記プロセッサによってさらに実行可能である、請求項１０に記載の装置。
【請求項１５】
前記複数のサブ監視期間の各々が連続的にスケジュールされる、
ここにおいて、前記複数のサブ監視期間を連続的にスケジュールするための前記命令が、特に、
第１の監視期間の第１の時間ブロック中に第１のサブ監視期間をスケジュールすることと、
第２の監視期間の第２の時間ブロック中に第２のサブ監視期間をスケジュールすること、ここで、前記第２の監視期間の前記第２の時間ブロックが、前記第２の監視期間の第１の時間ブロックに隣接する、と
を行うように前記プロセッサによってさらに実行可能である、請求項１４に記載の装置。
【請求項１６】
前記複数のサブ監視期間の各々が非連続的にスケジュールされる、
ここにおいて、前記複数のサブ監視期間を非連続的にスケジュールするための前記命令が、特に、
第１の監視期間の第１の時間ブロック中に第１のサブ監視期間をスケジュールすることと、
第２の監視期間の第２の時間ブロック中に第２のサブ監視期間をスケジュールすること、ここで、前記第２の監視期間の前記第２の時間ブロックが、前記第２の監視期間の第１の時間ブロックに隣接しない、と
を行うように前記プロセッサによってさらに実行可能である、請求項１４に記載の装置。
【請求項１７】
各スケジュールされたサブ監視期間の時間ブロックが、前記Ｄ２Ｄソースの識別情報とＤ２Ｄサブフレーム番号のうちの１つまたは複数に少なくとも部分的に基づいて決定される、請求項１４に記載の装置。
【請求項１８】
方法の請求項１から８のうちのいずれか一項に従って方法を実行するための命令を備える、コンピュータプログラム。
【発明の詳細な説明】
【技術分野】
【０００１】
相互参照
[0001]本特許出願は、各々が本出願の譲受人に譲渡された、２０１５年６月２６日に出願された、「Monitoring Periods for Device-to-Device Synchronization Signals」と題する、Ａｂｅｄｉｎｉらによる米国特許出願第１４／７５２，０８９号、および２０１４年７月２１日に出願された、「Monitoring Periods for Device-to-Device Synchronization Signals」と題する、Ａｂｅｄｉｎｉらによる米国仮特許出願第６２／０２７，１２４号の優先権を主張する。
【０００２】
[0002]本開示は、たとえば、ワイヤレス通信システムに関し、より詳細には、デバイス間（Ｄ２Ｄ：device-to-device）同期信号についての監視期間に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。ワイヤレス通信システムは、利用可能なシステムリソース（たとえば、時間、周波数および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムが含まれる。
【０００４】
[0004]ワイヤレス多元接続通信システムは、各々が複数のモバイルデバイス（たとえば、ユーザ機器（ＵＥ））のための通信を同時にサポートする、いくつかの基地局を含み得る。基地局は、ダウンストリームリンクおよびアップストリームリンク上でＵＥと通信し得る。各基地局は、セルのカバレージエリアと呼ばれることがあるカバレージエリアを有する。デバイス間（Ｄ２Ｄ）通信は、基地局のカバレージエリア内のまたは基地局のカバレージエリアを越えてのいずれかの、ＵＥ間の直接的なワイヤレス通信を伴う。場合によっては、Ｄ２Ｄ通信は、たとえば、警察、消防、および救助チームなど、公共安全の担当官によって利用される。いくつかの場合には、Ｄ２Ｄ通信は、異なるカバレージエリア内のＵＥ間および／または異なるサービスプロバイダを有するＵＥ間にあり得る。
【０００５】
[0005]ＵＥは、Ｄ２Ｄ通信のために他のＵＥの検出および同期を提供するために、反復スケジュールでＤ２Ｄ同期信号（Ｄ２ＤＳＳ：D2D synchronization signal）を定期的（periodically）に送り得る。たとえば、ＵＥは、他のＵＥからＤ２ＤＳＳを監視するために、すべての他のアクティビティ（たとえば、データ通信、それ自体のＤ２ＤＳＳの送信など）を中止し得る。監視期間は、受信を確実にするための定期的な同期信号送信のスケジュールと同じ長さであり得る。しかしながら、このサービスの中断が長引くことによって、通信が失われる可能性がある。
【発明の概要】
【０００６】
[0006]記載された特徴は、一般に、中断の延長を回避することができるデバイス間同期信号（Ｄ２ＤＳＳ）の監視期間を決定するための１つまたは複数の改良されたシステム、方法、および／または装置に関する。様々な例によれば、デバイスは、たとえばソースデバイスがＤ２ＤＳＳ送信を送る反復スケジュールなど、Ｄ２ＤＳＳ送信のサイクルを決定し得る。同期サイクルは、いくつかのＤ２ＤＳＳが送信される時間期間をカバーし得る。デバイスは、Ｄ２ＤＳＳの少なくとも１つの送信の検出を確実にする持続時間を有する監視期間を決定し得る。監視期間は、たとえば、Ｄ２ＤＳＳの２つの連続した送信の開始時間にまたがる持続時間を有し得る。デバイスは、Ｄ２ＤＳＳの少なくとも１つの送信を監視するためのサブ監視期間（sub-monitoring periods）も決定し得る。サブ監視期間の累積持続時間は、監視期間と同じ持続時間であり得る。デバイスは、サービスにおける中断の延長を低減するために、同期サイクル中に生じるいくつかの監視期間にわたるサブ監視期間中にＤ２ＤＳＳを監視し得る。
【０００７】
[0007]実施例の第１の例示的なセットでは、ワイヤレス通信のための方法が提供される。この方法は、デバイス間（Ｄ２Ｄ）ソースから定期的なスケジュール（periodic schedule）で送信される１つまたは複数のＤ２Ｄ同期信号を備える同期サイクルを決定することと、定期的なスケジュールに少なくとも部分的に基づいて同期サイクル中に生じるＤ２Ｄ同期信号の少なくとも２つの連続的な送信（sequential transmissions）の開始時間に少なくとも部分的に基づいて監視期間を決定することであって、同期サイクルの持続時間が、複数の監視期間を備える、監視期間を決定することと、監視期間の持続時間に少なくとも部分的に基づいて、複数のサブ監視期間を決定することであって、複数のサブ監視期間の累積持続時間が、監視期間の持続時間と同じである、複数のサブ監視期間を決定することと、複数のサブ監視期間に少なくとも部分的に基づいて、１つまたは複数のＤ２Ｄ同期信号のうちの少なくとも１つについて監視することとを含み得る。
【０００８】
[0008]いくつかの態様では、複数のサブ監視期間の各々は、サブ監視持続時間（sub-monitoring duration）を含み得、各サブ監視持続時間は同じ長さである。複数のサブ監視期間の各々は、サブ監視持続時間を含み得、サブ監視持続時間のうちの少なくとも２つが異なる長さである。複数のサブ監視期間を決定することは、同期サイクル中に生じる監視期間の一部分の間に生じるように複数のサブ監視期間をスケジュールすることを含み得、ここにおいて、複数のサブ監視期間の各々は、異なる監視期間中にスケジュールされる。
【０００９】
[0009]いくつかの態様では、複数のサブ監視期間は、各同期サイクルについての異なる監視期間中にスケジュールされる。複数のサブ監視期間は、各同期サイクルについての同じ監視期間中にスケジュールされ得る。各スケジュールされたサブ監視期間の時間ブロックは、Ｄ２Ｄソースの識別情報とＤ２Ｄサブフレーム番号のうちの１つまたは複数に少なくとも部分的に基づいて決定され得る。
【００１０】
[0010]いくつかの態様では、複数のサブ監視期間を決定することは、同期サイクル中の各監視期間中に生じるように複数のサブ監視期間のうちの少なくとも１つをスケジュールすることを含み得、ここにおいて、複数のサブ監視期間の各々は、異なる監視期間中にスケジュールされる。複数のサブ監視期間の各々は、連続的（sequentially）にスケジュールされ得る。複数のサブ監視期間を連続的にスケジュールすることは、第１の監視期間の第１の時間ブロック中に第１のサブ監視期間をスケジュールすることと、第２の監視期間の第２の時間ブロック中に第２のサブ監視期間をスケジュールすることとを含み得、第２の監視期間の第２の時間ブロックは、第２の監視期間の第１の時間ブロックに隣接する。
【００１１】
[0011]いくつかの態様では、複数のサブ監視期間の各々は、非連続的（non-sequentially）にスケジュールされ得る。複数のサブ監視期間を非連続的にスケジュールすることは、第１の監視期間の第１の時間ブロック中に第１のサブ監視期間をスケジュールすることと、第２の監視期間の第２の時間ブロック中に第２のサブ監視期間をスケジュールすることとを含み得、第２の監視期間の第２の時間ブロックは、第２の監視期間の第１の時間ブロックに隣接しない。
【００１２】
[0012]いくつかの態様では、各スケジュールされたサブ監視期間の時間ブロックは、Ｄ２Ｄソースの識別情報とＤ２Ｄサブフレーム番号のうちの１つまたは複数に少なくとも部分的に基づいて決定され得る。
【００１３】
[0013]実施例の第２の例示的なセットでは、ワイヤレス通信のための装置が提供される。この装置は、プロセッサと、プロセッサと電子通信しているメモリと、メモリに記憶された命令とを含み得、命令はプロセッサによって実行可能である。命令は、Ｄ２Ｄソースから定期的なスケジュールで送信される１つまたは複数のＤ２Ｄ同期信号を含み得る同期サイクルを決定することと、定期的なスケジュールに少なくとも部分的に基づいて同期サイクル中に生じるＤ２Ｄ同期信号の少なくとも２つの連続的な送信の開始時間に少なくとも部分的に基づいて監視期間を決定することであって、同期サイクルの持続時間が、複数の監視期間を含み得る、監視期間を決定することと、監視期間の持続時間に少なくとも部分的に基づいて、複数のサブ監視期間を決定することであって、複数のサブ監視期間の累積持続時間が、監視期間の持続時間と同じである、複数のサブ監視期間を決定することと、複数のサブ監視期間に少なくとも部分的に基づいて、１つまたは複数のＤ２Ｄ同期信号のうちの少なくとも１つについて監視することと、を行うようにプロセッサによって実行可能であり得る。
【００１４】
[0014]いくつかの態様では、複数のサブ監視期間の各々は、サブ監視持続時間を含み得、各サブ監視持続時間は同じ長さである。複数のサブ監視期間の各々は、サブ監視持続時間を含み得、サブ監視持続時間のうちの少なくとも２つが異なる長さである。複数のサブ監視期間を決定するための命令はさらに、同期サイクル中に生じる監視期間の一部分の間に生じるように複数のサブ監視期間をスケジュールすることを行うようにプロセッサによって実行可能であり得、ここにおいて、複数のサブ監視期間の各々は、異なる監視期間中にスケジュールされる。
【００１５】
[0015]いくつかの態様では、複数のサブ監視期間は、各同期サイクルについての異なる監視期間中にスケジュールされ得る。複数のサブ監視期間は、各同期サイクルについての同じ監視期間中にスケジュールされ得る。各スケジュールされたサブ監視期間の時間ブロックは、Ｄ２Ｄソースの識別情報とＤ２Ｄサブフレーム番号のうちの１つまたは複数に少なくとも部分的に基づいて決定され得る。
【００１６】
[0016]いくつかの態様では、複数のサブ監視期間を決定するための命令はさらに、プロセッサによって、同期サイクル中の各監視期間中に生じるように複数のサブ監視期間のうちの少なくとも１つをスケジュールすることを行うように実行可能であり得、ここにおいて、複数のサブ監視期間の各々は、異なる監視期間中にスケジュールされる。複数のサブ監視期間の各々は、連続的にスケジュールされ得る。複数のサブ監視期間を連続的にスケジュールするための命令はさらに、プロセッサによって、第１の監視期間の第１の時間ブロック中に第１のサブ監視期間をスケジュールすることと、第２の監視期間の第２の時間ブロック中に第２のサブ監視期間をスケジュールすることとを行うように実行可能であり得、第２の監視期間の第２の時間ブロックは、第２の監視期間の第１の時間ブロックに隣接する。
【００１７】
[0017]いくつかの態様では、複数のサブ監視期間の各々は、非連続的にスケジュールされ得る。複数のサブ監視期間を非連続的にスケジュールするための命令はさらに、プロセッサによって、第１の監視期間の第１の時間ブロック中に第１のサブ監視期間をスケジュールすることと、第２の監視期間の第２の時間ブロック中に第２のサブ監視期間をスケジュールすることとを行うように実行可能であり得、第２の監視期間の第２の時間ブロックは、第２の監視期間の第１の時間ブロックに隣接しない。各スケジュールされたサブ監視期間の時間ブロックは、Ｄ２Ｄソースの識別情報とＤ２Ｄサブフレーム番号のうちの１つまたは複数に少なくとも部分的に基づいて決定され得る。
【００１８】
[0018]実施例の第３の例示的なセットでは、ワイヤレス通信のための装置が提供される。この装置は、Ｄ２Ｄソースから定期的なスケジュールで送信される１つまたは複数のＤ２Ｄ同期信号を含み得る同期サイクルを決定するための手段と、定期的なスケジュールに少なくとも部分的に基づいて同期サイクル中に生じるＤ２Ｄ同期信号の少なくとも２つの連続的な送信の開始時間に少なくとも部分的に基づいて監視期間を決定するための手段であって、同期サイクルの持続時間が、複数の監視期間を含み得る、監視期間を決定するための手段と、監視期間の持続時間に少なくとも部分的に基づいて、複数のサブ監視期間を決定するための手段であって、複数のサブ監視期間の累積持続時間が、監視期間の持続時間と同じである、複数のサブ監視期間を決定するための手段と、複数のサブ監視期間に少なくとも部分的に基づいて、１つまたは複数のＤ２Ｄ同期信号のうちの少なくとも１つについて監視するための手段とを含み得る。
【００１９】
[0019]いくつかの態様では、複数のサブ監視期間の各々は、サブ監視持続時間を含み得、各サブ監視持続時間は同じ長さである。複数のサブ監視期間の各々は、サブ監視持続時間を含み得、サブ監視持続時間のうちの少なくとも２つが異なる長さである。複数のサブ監視期間を決定するための手段は、同期サイクル中に生じる監視期間の一部分の間に生じるように複数のサブ監視期間をスケジュールするための手段を含み得、ここにおいて、複数のサブ監視期間の各々は、異なる監視期間中にスケジュールされる。
【００２０】
[0020]いくつかの態様では、複数のサブ監視期間は、各同期サイクルについての異なる監視期間中にスケジュールされ得る。複数のサブ監視期間は、各同期サイクルについての同じ監視期間中にスケジュールされ得る。各スケジュールされたサブ監視期間の時間ブロックは、Ｄ２Ｄソースの識別情報とＤ２Ｄサブフレーム番号のうちの１つまたは複数に少なくとも部分的に基づいて決定され得る。複数のサブ監視期間を決定するための手段は、同期サイクル中の各監視期間中に生じるように複数のサブ監視期間のうちの少なくとも１つをスケジュールするための手段を含み得、ここにおいて、複数のサブ監視期間の各々は、異なる監視期間中にスケジュールされる。
【００２１】
[0021]いくつかの態様では、複数のサブ監視期間の各々は、連続的にスケジュールされ得る。複数のサブ監視期間を連続的にスケジュールすることは、第１の監視期間の第１の時間ブロック中に第１のサブ監視期間をスケジュールするための手段と、第２の監視期間の第２の時間ブロック中に第２のサブ監視期間をスケジュールするための手段とを含み得、第２の監視期間の第２の時間ブロックは、第２の監視期間の第１の時間ブロックに隣接する。
【００２２】
[0022]いくつかの態様では、複数のサブ監視期間の各々は、非連続的にスケジュールされ得る。複数のサブ監視期間を非連続的にスケジュールすることは、第１の監視期間の第１の時間ブロック中に第１のサブ監視期間をスケジュールするための手段と、第２の監視期間の第２の時間ブロック中に第２のサブ監視期間をスケジュールするための手段とを含み得、第２の監視期間の第２の時間ブロックは、第２の監視期間の第１の時間ブロックに隣接しない。各スケジュールされたサブ監視期間の時間ブロックは、Ｄ２Ｄソースの識別情報とＤ２Ｄサブフレーム番号のうちの１つまたは複数に少なくとも部分的に基づいて決定され得る。
【００２３】
[0023]実施例の第４の例示的なセットでは、ワイヤレス通信のためのコンピュータ実行可能コードを記憶する非一時的コンピュータ可読媒体が提供される。コードは、Ｄ２Ｄソースから定期的なスケジュールで送信される１つまたは複数のＤ２Ｄ同期信号を含み得る同期サイクルを決定することと、定期的なスケジュールに少なくとも部分的に基づいて同期サイクル中に生じるＤ２Ｄ同期信号の少なくとも２つの連続的な送信の開始時間に少なくとも部分的に基づいて監視期間を決定することであって、同期サイクルの持続時間が、複数の監視期間を含み得る、監視期間を決定することと、監視期間の持続時間に少なくとも部分的に基づいて、複数のサブ監視期間を決定することであって、複数のサブ監視期間の累積持続時間が、監視期間の持続時間と同じである、複数のサブ監視期間を決定することと、複数のサブ監視期間に少なくとも部分的に基づいて、１つまたは複数のＤ２Ｄ同期信号のうちの少なくとも１つについて監視することと、を行うようにプロセッサによって実行可能であり得る。
【００２４】
[0024]説明する方法および装置の適用可能性のさらなる範囲は、以下の発明を実施するための形態、特許請求の範囲、および図面から明らかになろう。当業者には発明を実施するための形態の範囲内の様々な変更および改変が明らかになるので、発明を実施するための形態および特定の例は、例示として与えられるものにすぎない。
【００２５】
[0025]本発明の性質および利点のさらなる理解は、以下の図面を参照して実現され得る。添付の図では、同様の構成要素または特徴は、同一の参照符号を有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれか１つに適用可能である。
【図面の簡単な説明】
【００２６】
【図１】[0026]様々な実施形態による、例示的なワイヤレス通信システムのブロック図を示す図である。
【図２】[0027]様々な実施形態による、ワイヤレス通信システムにおけるＤ２ＤＳＳの様々な監視方式の例示的なタイミング図を示す図である。
【図３】[0028]様々な実施形態による、Ｄ２ＤＳＳを監視するためのワイヤレスデバイスの一例のブロック図を示す図である。
【図４】[0029]様々な実施形態による、Ｄ２ＤＳＳを監視するためのワイヤレスデバイスの一例のブロック図を示す図である。
【図５】[0030]様々な実施形態による、Ｄ２ＤＳＳを監視するためのワイヤレスデバイスの一例のブロック図を示す図である。
【図６】[0031]様々な実施形態による、Ｄ２ＤＳＳを監視するためのワイヤレスデバイスの一例のブロック図を示す図である。
【図７】[0032]様々な実施形態による、ワイヤレス通信のための例示的な方法のフローチャートを示す図である。
【図８】様々な実施形態による、ワイヤレス通信のための例示的な方法のフローチャートを示す図である。
【図９】様々な実施形態による、ワイヤレス通信のための例示的な方法のフローチャートを示す図である。
【発明を実施するための形態】
【００２７】
[0033]一般に、デバイス間同期信号（Ｄ２ＤＳＳ）の監視方式を決定するための１つまたは複数の改良されたシステム、方法、および／または装置に関する特徴について説明する。デバイスは、同期サイクル中に少なくとも１つのＤ２ＤＳＳ送信を検出するように構成されたサブ監視期間を決定し得る。サブ監視期間は、監視期間と同じ累積持続時間を有し得るが、同期サイクル中に生じるいくつかの監視期間の一部分またはすべての間に生じるようにスケジュールされることもできる。このように、サブ監視期間は、監視期間の連続持続時間の間、デバイス上の他の動作を中断することなく、同期サイクル中のＤ２ＤＳＳ送信の検出を提供し得る。
【００２８】
[0034]いくつかの例では、デバイスは、Ｄ２ＤＳＳ送信を送る１つまたは複数のソースデバイスについての同期サイクルを決定し得る。ソースデバイスは、たとえば、Ｄ２Ｄ通信を介して通信するすべてのデバイスが共有スケジュールに従ってＤ２ＤＳＳを送ることができるなど、既知の定期的なスケジュールでＤ２ＤＳＳを送り得る。デバイスは、たとえば、Ｄ２ＤＳＳの少なくとも２つの連続した送信の開始時間に基づいて、監視期間を決定し得る。上記の例を続けると、同期サイクルの持続時間は、いくつかの監視期間、たとえば、同期サイクル当たり１０の監視期間を含み得る。デバイスは、ソースデバイスからのＤ２ＤＳＳ送信のうちの少なくとも１つを監視するためのサブ監視期間の数を決定し得る。たとえば、複数のサブ監視期間の累積持続時間は、監視期間の持続時間と同じであり得るなど、サブ監視期間の数および／または持続時間は、監視期間に基づき得る。上記の例を続けると、デバイスは、１０ミリ秒の持続時間の１０のサブ監視期間、２０ミリ秒の持続時間の５つのサブ監視期間などがあると決定し得る。したがって、デバイスは、たとえば、より長い監視期間の代わりに、１０ミリ秒の監視期間など、他のサービスまたはアクティビティに対する少ない中断で、サブ監視期間中にＤ２ＤＳＳ送信を監視し得る。
【００２９】
[0035]本明細書で説明する技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５およびＩＳ−８５６規格をカバーする。ＩＳ−２０００  Ｒｅｌｅａｓｅ０およびＡは、通常、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形とを含む。ＴＤＭＡシステムは、モバイル通信用グローバルシステム（ＧＳＭ（登録商標））などの無線技術を実装することができ得る。ＯＦＤＭＡシステムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡはユニバーサルモバイルテレコミュニケーションシステム（ＵＭＴＳ）の一部である。ロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ（登録商標））と称する団体からの文書に記載されている。ＣＤＭＡ２０００およびＵＭＢは、「第３世代パートナーシッププロジェクト２」（３ＧＰＰ２）と称する団体からの文書に記載されている。本明細書において記載される技法は、上述のシステムおよび無線技術、ならびに他のシステムおよび無線技術に使用され得る。しかしながら、以下の説明は、例としてＬＴＥシステムについて説明し、以下の説明の大部分においてＬＴＥ用語が使用されるが、本技法はＬＴＥ適用例以外に適用可能である。
【００３０】
[0036]したがって、以下の説明は例を与えるものであり、特許請求の範囲に記載の範囲、適用性、または構成の限定ではない。本開示の範囲から逸脱することなく、論じられる要素の機能および構成に変更が行われ得る。様々な実施形態は、適宜に、様々な手順または構成要素を省略、置換、または追加し得る。たとえば、説明される方法は、説明される順序と異なる順序で実施されてよく、様々なステップが追加され、省略され、または組み合わせられ得る。また、いくつかの実施形態に関して説明される特徴が、他の実施形態において組み合わせられることもできる。
【００３１】
[0037]図１は、様々な実施形態によるワイヤレス通信システム１００の一例を示す。ワイヤレス通信システム１００は、基地局１０５と、ユーザ機器（ＵＥ）１１５としても知られる通信デバイスと、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。基地局１０５は、バックホールリンク１３２を介してコアネットワーク１３０を用いて制御情報および／またはユーザデータを通信し得る。実施形態では、基地局１０５は、ワイヤードまたはワイヤレス通信リンクであり得るバックホールリンク１３４を介して互いと直接または間接的に通信し得る。ワイヤレス通信システム１００は、複数のキャリア（様々な周波数の波形信号）上での動作をサポートし得る。ワイヤレス通信リンク１２５は、様々な無線技術に従って変調され得る。各被変調信号は、制御情報（たとえば、基準信号、制御チャネルなど）、オーバーヘッド情報、データなどを搬送し得る。ワイヤレス通信リンク１２５はまた、Ｄ２Ｄ通信として知られる構成でＵＥ１１５間に確立され得る。
【００３２】
[0038]基地局１０５は、１つまたは複数の基地局アンテナを介してＵＥ１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ（ｅＮＢ）、ホームノードＢ、ホームｅノードＢ、またはいくつかの他の好適な用語で呼ばれることがある。基地局のためのカバレージエリア１１０は、カバレージエリアの一部分のみを構成するセクタに分割され得る。ワイヤレス通信システム１００は、様々なタイプの基地局１０５（たとえば、マクロ基地局、マイクロ基地局、および／またはピコ基地局）を含み得る。様々な技術用の重複するカバレージエリアがあり得る。
【００３３】
[0039]ワイヤレス通信システム１００は、異なるタイプの基地局が様々な地理的領域にカバレージを提供する、異種ＬＴＥ／ＬＴＥ−Ａネットワークであり得る。たとえば、各基地局１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥによる制限付きアクセスをも与え得る。
【００３４】
[0040]コアネットワーク１３０は、バックホール１３２（たとえば、Ｓ１など）を介して基地局１０５と通信し得る。基地局１０５はまた、バックホールリンク１３４（たとえば、Ｘ２など）を介して、および／またはバックホールリンク１３２を介して（たとえば、コアネットワーク１３０を通して）たとえば、直接的または間接的に、互いに通信し得る。ワイヤレス通信システム１００は、同期動作または非同期動作をサポートし得る。同期動作の場合、基地局は同様のフレームタイミングを有し得、異なる基地局からの送信は時間的にほぼアライメントされ得る。非同期動作の場合、基地局は異なるフレームタイミングを有することができ得るし、異なる基地局からの送信は時間的にアライメントされない場合がある。本明細書で説明される技法は、同期動作または非同期動作のいずれかのために使用され得る。
【００３５】
[0041]ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００３６】
[0042]ワイヤレス通信システム１００に示されているワイヤレス通信リンク１２５は、ＵＥ１１５から基地局１０５へのアップリンク（ＵＬ）送信、および／またはダウンリンク（ＤＬ）キャリアを介した基地局１０５からＵＥ１１５へのＤＬ送信を含み得る。それらはまた、Ｄ２Ｄ通信リンクを表し得る。ダウンリンク送信は順方向リンク送信と呼ばれることもあり、一方アップリンク送信は逆方向リンク送信と呼ばれることもある。
【００３７】
[0043]ＵＥ１１５はワイヤレス通信システム１００全体にわたって分散され、各ＵＥは固定または移動であり得る。ＵＥ１１５は、Ｄ２Ｄ通信を使用する他のＵＥ１１５と通信し得る。Ｄ２Ｄ通信を利用するＵＥのグループのうちの１つまたは複数（たとえば、第１のＵＥ１１５−ａ−１）が、セルのカバレージエリア１１０−ａ内にあり得る。そのようなグループ中の他のＵＥ（たとえば第２のＵＥ１１５−ａ−２および第３のＵＥ１１５−ａ−３）は、セルのカバレージエリア１１０−ａ外にあるか、またはさもなければ、基地局１０５からの送信を受信することができないことがある。たとえば、第２のＵＥ１１５−ａ−２がカバレージエリア１１０−ａの外側にある（すなわち、異なる基地局に関連付けられている）、および／または異なるサービスキャリアプロバイダに関連付けられているため、ＵＥのグループの１つまたは複数は非同期であり得る。Ｄ２Ｄ通信を介して通信するＵＥ１１５−ａのグループのうちの１つまたは複数は、たとえば、第１のＵＥ１１５−ａ−１の存在を検出するために、および／またはＵＥ１１５−ａ間のタイミング信号を同期させるために、他のＵＥ１１５−ａが発見し、同期することを可能にするために、最初にＤ２Ｄ同期信号を利用し得る。いくつかの場合には、Ｄ２Ｄ通信を介して通信する各ＵＥ１１５−ａは、他のＵＥ１１５−ａが検出および同期機能を実行できるように、繰返しスケジュールでＤ２ＤＳＳを送り得る。いくつかの例では、他のＵＥは、ソースＵＥのＤ２ＤＳＳを監視している間に、他のアクティビティ（たとえば、データ通信、それら自体のＤ２ＤＳＳの送信など）を中止する必要があり得る。その結果、サービス中断が延長され、通信が失われる可能性がある。
【００３８】
[0044]本開示の態様によれば、ＵＥ１１５は、中断期間を短縮するＤ２Ｄ通信を介して通信する他のＵＥからＤ２ＤＳＳを監視するための監視スケジュールを決定し得る。いくつかの態様では、ＵＥ１１５は、繰返しスケジュールでＤ２ＤＳＳを送るソースＵＥに関連するサイクルを決定し得る。ＵＥ１１５は、たとえば、同期サイクル中に生じるＤ２ＤＳＳの少なくとも２つの連続した送信の開始時間をカバーする持続時間を有する監視期間を決定し得る。同期サイクルは、いくつかの監視期間を含む時間期間を含み得る。一例として、同期サイクルは、１秒であり得、１００ミリ秒ごとに１０ミリ秒間送られるＤ２ＤＳＳに関連する１０の監視期間を含み得る。したがって、監視期間は、少なくとも１００ミリ秒の持続時間を有し得る。他の持続時間および定期的なスケジューリングを有する同期サイクルおよび／または監視期間も決定され得る。
【００３９】
[0045]ＵＥ１１５は、また、監視期間の持続時間に基づいてサブ監視期間を決定し得る。一例として、ＵＥ１１５は、監視期間の持続時間をいくつかのサブ監視期間に分割することができ、ここで、サブ監視期間の各々の累積持続時間は監視期間と同じである。ＵＥ１１５は、ソースＵＥからのＤ２ＤＳＳ送信についてサブ監視期間に従ってスケジュールし、監視し得る。いくつかの態様では、ＵＥは、サブ監視期間をスケジュールし得、ここで、サブ監視期間は、同期サイクルの異なる監視期間中に生じる。
【００４０】
[0046]図２は、様々な実施形態による、ワイヤレス通信システムにおけるＤ２ＤＳＳの様々な監視方式の例示的なタイミング図２００を示す。タイミング図２００は、図１を参照しながら説明したワイヤレス通信システム１００の態様を示し得る。いくつかの実施形態では、図１を参照して説明した１つまたは複数のＵＥ１１５がタイミング図２００の態様を実施する機能を実行し得る。いくつかの例では、タイミング図２００は、ソースＵＥが監視サイクル中にＤ２ＤＳＳ送信を送ることと、Ｄ２ＤＳＳ送信のうちの少なくとも１つを検出するためにサブ監視期間を利用する例示的な監視方式との態様を示し得る。
【００４１】
[0047]ソースＵＥは、典型的な発見および／または通信アクティビティに関連する期間２０５−ｂがそれに後続する、Ｄ２ＤＳＳ２０５−ａを送り得る。連続的なＤ２ＤＳＳ２０５−ａの送信の開始時間の間の期間は、監視期間２１０と見なされ得、同期サイクル２１５は、複数の監視期間２１０を含み得る。図２は同期サイクル２１５中に生じる３つの監視期間２１０を示すが、より多くのまたはより少ない監視期間２１０が同期サイクル２１５に含まれ得ることを理解されたい。タイミング図２００は、例として、参照しやすいように、監視方式（ａ）〜（ｄ）とラベル付けされた、サブ監視期間中のＤ２ＤＳＳ２０５−ａについて監視するための４つの方式を示す。
【００４２】
[0048]いくつかの例では、発見側ＵＥ（discovering UE）は、同期サイクル２１５および監視期間２１０を決定し得る。たとえば、ＵＥは、同期サイクル２１５および／または監視期間２１０を示す情報を含む１つまたは複数のメッセージをアプリオリ（a priori）に知っていることがあり、および／またはサービングセルから受信し得る。いくつかの例では、Ｄ２Ｄ通信を介して通信するＵＥは、他のＵＥにとって既知であるスケジュールに従ってＤ２ＤＳＳを送り得る。したがって、発見側ＵＥは、Ｄ２ＤＳＳの頻度を知っている可能性があるが、Ｄ２Ｄ通信のためのタイミング信号を同期させるために発見／同期手順を実行することが必要であり得る。すなわち、Ｄ２Ｄ通信に参加しているＵＥの少なくとも一部は、最初、少なくとも互いに関して非同期であり得る。
【００４３】
[0049]第１の例示的な監視方式（ａ）では、発見側ＵＥは、監視期間２１０に基づいて複数のサブ監視期間２２０を決定し得る。第１の例示的な監視方式（ａ）では、発見側ＵＥは、同期サイクル２１５の間の各監視期間２１０中に生じるように複数のサブ監視期間２２０のうちの少なくとも１つをスケジュールし得る。図２に示されるように、複数のサブ監視期間２２０−ａ、２２０−ｂおよび２２０−ｃの各々が異なる監視期間２１０中にスケジュールされ得る。さらに、複数のサブ監視期間２２０の各々は、連続的にスケジュールされ得る。すなわち、第１のサブ監視期間２２０−ａは、第１の監視期間２１０−ａの第１の時間ブロックの間にスケジュールされ、第２のサブ監視期間２２０−ｂは、第２の監視期間２１０−ｂの第２の時間ブロックの間にスケジュールされるなどである。ＵＥは、第１のサブ監視期間２２０−ａの間、そのＤ２ＤＳＳ送信を送ることを控え得る。第２の監視期間２１０−ｂの第２の時間ブロックは、第２の監視期間の第１の時間ブロックに隣接し得、すなわち、第１のサブ監視期間２２０−ａは、第１の監視期間２１０−ａの第１の部分の間に生じ得、第２のサブ監視期間２２０−ｂは、第２の監視期間２１０−ｂの第２の部分の間に生じ得るなどである。したがって、発見側ＵＥは、Ｄ２ＤＳＳの検出を確実にするために、異なる監視期間２１０にまたがるが単一の監視期間２１０の全持続時間を依然としてカバーするサブ監視期間２２０の間、Ｄ２ＤＳＳを監視し得る。監視方式（ａ）では、発見側ＵＥは、第２のサブ監視期間２２０−ｂ中にソースＵＥからのＤ２ＤＳＳを検出し得る。
【００４４】
[0050]第２の例示的な監視方式（ｂ）では、発見側ＵＥは、同期サイクル２１５の間の各監視期間２１０中に生じるようにサブ監視期間２２５をスケジュールするという点で、第１の監視方式（ａ）に類似している。しかしながら、第２の監視方式（ｂ）では、サブ監視期間２２５は、非連続的にスケジュールされる。すなわち、第１の監視期間２１０−ａの第２の時間ブロックの間に第１のサブ監視期間２２５−ａがスケジュールされ、第２の監視期間２１０−ｂの第１の時間ブロックの間に第２のサブ監視期間２２５−ｂがスケジュールされる。すなわち、第１のサブ監視期間２２５−ａは、第１の監視期間２１０−ａの第２部分の間に生じ得、第２のサブ監視期間２２５−ｂは、第２の監視期間２１０−ｂの第１の部分の間に生じ得、第３のサブ監視期間２２５−ｃは、第３の監視期間２１０−ｃの第３の部分の間に生じ得る。ＵＥは、第２のサブ監視期間２２５−ｂの間、そのＤ２ＤＳＳ送信を送ることを控え得る。したがって、発見側ＵＥは、Ｄ２ＤＳＳの検出を確実にするために、異なる監視期間２１０に非連続的にまたがるが単一の監視期間２１０の全持続時間を依然としてカバーするサブ監視期間２２５の間、Ｄ２ＤＳＳを監視し得る。監視方式（ｂ）では、発見側ＵＥは、第１のサブ監視期間２２５−ａの間にソースＵＥからのＤ２ＤＳＳを検出し得る。
【００４５】
[0051]いくつかの態様では、各スケジュールされたサブ監視期間２２０および／または２２５の時間ブロックは、Ｄ２Ｄソースの識別情報および／またはＤ２Ｄサブフレーム番号に少なくとも部分的に基づいて決定され得る。
【００４６】
[0052]第３の例示的な監視方式（ｃ）は、サブ監視期間２３０が異なる持続時間を有する態様を示す。すなわち、第１の監視方式（ａ）および第２の監視方式（ｂ）は、それぞれ同じ長さを有するサブ監視期間２２０および２２５を示すが、第３の監視方式（ｃ）は、第１のサブ監視期間２３０−ａが第２のサブ監視期間２３０−ｂと異なる長さまたは持続時間を有するように、発見側ＵＥがサブ監視期間２３０を決定する態様を示す。したがって、発見側ＵＥは、他の考慮事項、たとえば、ネットワーク負荷、優先ユーザトラフィックなどに基づいて、サブ監視期間２３０の長さを調整し得る。
【００４７】
[0053]第４の例示的な監視方式（ｄ）は、サブ監視期間２３５が、同期サイクル２１５中に生じる監視期間２１０の全部ではなく一部分の間に生じるようにスケジュールされる態様を示す。図２に示されるように、第１の監視期間２１０−ａの第１の時間ブロック中に第１のサブ監視期間２３５−ａが生じ得、第２の監視期間２１０−ｂ中には監視が行われない可能性があり、第２のサブ監視期間２３５−ｂは、第３の監視期間２１０−ｃの第２の時間ブロック中に生じ得る。ＵＥは、第１のサブ監視期間２３５−ａ中、そのＤ２ＤＳＳ送信を送ることを控え得る。いくつかの態様では、発見側ＵＥは、各同期サイクル２１５について同じ監視期間２１０中に生じるようにサブ監視期間２３５をスケジュールし得る。他の態様では、発見側ＵＥは、各同期サイクル２１５について異なる監視期間２１０中に生じるようにサブ監視期間２３５をスケジュールし得る。いくつかの態様では、発見側ＵＥは、Ｄ２Ｄソースの識別情報および／またはＤ２Ｄサブフレーム番号に基づいて、各スケジュールされたサブ監視期間２３５の時間ブロックを決定し得る。
【００４８】
[0054]図３に、様々な実施形態による、Ｄ２Ｄ通信のためのＵＥ１１５−ｂのブロック図３００を示す。ＵＥ１１５−ｂは、図１を参照しながら説明したＵＥ１１５の１つまたは複数の態様の一例であり得る。ＵＥ１１５−ｂは、受信機３０５、Ｄ２Ｄ同期モジュール３１０、および／または送信機３１５を含み得る。ＵＥ１１５−ｂはプロセッサをも含み得る。これらの構成要素の各々は互いと通信していることがある。
【００４９】
[0055]ＵＥ１１５−ｂの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００５０】
[0056]受信機３０５は、パケット、ユーザデータ、および／または様々な情報チャネル（たとえば、制御チャネル、データチャネルなど）に関連付けられた制御情報などの情報を受信し得る。たとえば、受信機３０５は、ソースＵＥから１つまたは複数のＤ２ＤＳＳを受信し得る。Ｄ２ＤＳＳは、Ｄ２ＤＳＳ送信のために割り当てられたアップリンクリソースを介して受信され得る。いくつかの態様では、物理的なデバイス間共有チャネル（ＰＤ２ＤＳＣＨ）が、定義され得、および／またはＤ２ＤＳＳ送信とともに追加の同期情報を送るために他の何らかの形で使用され得る。ソースＵＥからのＤ２ＤＳＳは、Ｄ２Ｄ通信の検出および同期のために受信され得る。受信機３０５は、単独で、またはＤ２Ｄ同期モジュール３１０と組み合わせて、Ｄ２ＤＳＳの監視スケジュールを決定するための手段であり得る。
【００５１】
[0057]Ｄ２Ｄ同期モジュール３１０は、Ｄ２Ｄ通信を介して通信するソースＵＥに関連する同期サイクルを特定し、または他の何らかの形で決定し得る。同期サイクル定期的スケジュールは、既知のものであり得、たとえば、Ｄ２Ｄ通信を介して通信するＵＥについて固定され得る。しかしながら、ソースＵＥおよびＵＥ１１５−ｂは、同じサービングセル内にないことがあり、異なるサービスプロバイダに関連付けられていることがあり、および／またはさもなければ時間同期されていないことがあり得る。ソースＵＥを検出するために、Ｄ２Ｄ同期モジュール３１０は、ソースＵＥからのＤ２ＤＳＳ送信のための監視期間を特定し、または他の何らかの形で決定し得る。監視期間は、たとえば、Ｄ２ＤＳＳの２つの連続した送信の開始時間の間の時間期間であり得る。監視期間は、少なくとも１つの送信を検出するためにＵＥ１１５−ｂが別の方法でＤ２ＤＳＳ送信を監視し得る時間の量を示し得る。いくつかの例では、Ｄ２Ｄ同期モジュール３１０は、既知の監視期間持続時間、たとえば、監視期間ｘＹ（ここでＹは正の整数）に基づいて、同期サイクルとして時間の量をランダムに選択し得る。
【００５２】
[0058]Ｄ２Ｄ同期モジュール３１０は、さらに、監視期間の持続時間に基づいてサブ監視期間を特定し、または他の何らかの形で決定するように構成され得る。すなわち、サブ監視期間の累積持続時間は、監視期間と同じであり得る。たとえば、１００ミリ秒の監視期間について、Ｄ２Ｄ同期モジュール３１０は、５つの２０ミリ秒のサブ監視期間を特定し得る。Ｄ２Ｄ同期モジュール３１０は、サブ監視期間をスケジュールし、スケジュールに従ってソースＵＥからのＤ２ＤＳＳを監視し得る。スケジュールは、同期サイクルの異なる監視期間中に生じるサブ監視期間を含み得る。上記の例を続けると、第１のサブ監視期間は、第１の監視期間の０〜１９ミリ秒の期間にスケジュールされ得、第２のサブ監視期間は、第２の監視期間の２０〜３９の期間にスケジュールされ得るなどである。サブ監視期間は、（上述のように）連続的にスケジュールされることができ、または非連続的にスケジュールされることができる。さらに、サブ監視期間は、異なる監視期間について異なる長さを有し得る。Ｄ２Ｄ同期モジュール３１０は、Ｄ２Ｄ通信のためのＤ２ＤＳＳ送信の監視スケジュールを決定するための手段であり得る。
【００５３】
[0059]送信機３１５は、ＵＥ１１５−ｂの他の構成要素から受信された１つまたは複数の信号を送信し得る。たとえば、送信機３１５は、ＵＥ１１５−ｂが検出されるように、および／またはＵＥ１１５−ｂがＤ２Ｄ通信を介して通信する他のＵＥと同期できるようにするために、ＵＥ１１５−ｂからのＤ２ＤＳＳを送信し得る。いくつかの実施形態では、送信機３１５は、トランシーバモジュールにおいて受信機３０５とコロケートされ得る。送信機３１５は、単一のアンテナを含み得、または送信機３１５は、複数のアンテナを含み得る。
【００５４】
[0060]図４に、様々な実施形態による、Ｄ２Ｄ通信のためのＵＥ１１５−ｃのブロック図４００を示す。ＵＥ１１５−ｃは、図１を参照しながら説明したＵＥ１１５の１つまたは複数の態様の一例であり得る。ＵＥ１１５−ｃは、受信機３０５−ａ、Ｄ２Ｄ同期モジュール３１０−ａ、および／または送信機３１５−ａを含み得る。ＵＥ１１５−ｃはプロセッサも含み得る。これらの構成要素の各々は互いと通信していることがある。
【００５５】
[0061]ＵＥ１１５−ｃの構成要素は、適用可能な機能の一部または全部をハードウェアで実行するように適応された１つまたは複数のＡＳＩＣを用いて、個々にまたはまとめて実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００５６】
[0062]受信機３０５−ａは、パケット、ユーザデータ、および／または様々な情報チャネル（たとえば、制御チャネル、データチャネルなど）に関連付けられた制御情報などの情報を受信し得る。たとえば、受信機３０５−ａは、ソースＵＥから１つまたは複数のＤ２ＤＳＳを受信し得る。Ｄ２ＤＳＳは、Ｄ２ＤＳＳ送信のために割り当てられたアップリンクリソースを介して受信され得る。いくつかの態様では、ＰＤ２ＤＳＣＨが、定義され得、および／またはＤ２ＤＳＳ送信とともに追加の同期情報を送るために他の何らかの形で使用され得る。ソースＵＥからのＤ２ＤＳＳは、Ｄ２Ｄ通信の検出および同期のために受信され得る。受信機３０５−ａは、単独で、またはＤ２Ｄ同期モジュール３１０−ａと組み合わせて、Ｄ２ＤＳＳの監視スケジュールを決定するための手段であり得る。
【００５７】
[0063]Ｄ２Ｄ同期モジュール３１０−ａは、図３に関して論じたＤ２Ｄ同期モジュール３１０の一例であり得、スケジューリング管理モジュール４０５および監視管理モジュール（monitoring management module）４１０を含み得る。スケジューリング管理モジュール４０５は、Ｄ２Ｄ通信を介して通信するソースＵＥに関連する同期サイクルを特定し、または他の何らかの形で決定し得る。スケジューリング管理モジュール４０５は、ソースＵＥからのＤ２ＤＳＳ送信のための監視期間を特定し、または他の何らかの形で決定し得る。監視期間は、たとえば、Ｄ２ＤＳＳの２つの連続した送信の開始時間の間の時間期間であり得、そして、少なくとも１つの送信を検出するためにＵＥ１１５−ｃが別の方法でＤ２ＤＳＳ送信を監視し得る時間量を示し得る。いくつかの例では、スケジューリング管理モジュール４０５は、既知の監視期間持続時間、たとえば（監視期間ｘＹ）（Ｙは正の整数）、に基づいて、同期サイクルとして時間の量をランダムに選択し得る。一例として、スケジューリング管理モジュール４０５は、アプリオリ（a priori）に、Ｄ２Ｄ通信に参加しているＵＥが各２００ミリ秒期間の最初の５ミリ秒間にＤ２ＤＳＳ送信を送り得ることを知っている可能性がある。したがって、監視期間は２００ミリ秒であり得、スケジューリング管理モジュール４０５は、同期サイクル、すなわち１秒に含めるための監視期間の数として５を選択し得る。
【００５８】
[0064]スケジューリング管理モジュール４０５は、さらに、監視期間の持続時間に基づいてサブ監視期間を特定し、または他の何らかの形で決定するように構成され得る。サブ監視期間の累積持続時間は、監視期間と同じであり得る。上記の例を続けると、２００ミリ秒の監視期間について、スケジューリング管理モジュール４０５は、５つの４０ミリ秒のサブ監視期間を特定し得る。スケジューリング管理モジュール４０５は、他のアクティビティにおいて全２００ミリ秒の中断なしに（without a full 200 millisecond interruption）Ｄ２ＤＳＳの検出を確実にするために、５つの監視期間にわたって生じるようにサブ監視期間をスケジュールし得る。
【００５９】
[0065]監視管理モジュール４１０は、スケジューリング管理モジュール４０５と通信し、スケジュールされたサブ監視期間に従ってソースＵＥからのＤ２ＤＳＳを監視し得る。監視管理モジュール４１０は、スケジュールされたサブ監視期間中にソースＵＥからの１つまたは複数のＤ２ＤＳＳ送信を受信するために、受信機３０５−ａと通信し得る。Ｄ２Ｄ同期モジュール３１０−ａは、たとえば、図２に関して上記で説明した監視方式（ａ）〜（ｄ）のうちの１つまたは複数など、Ｄ２Ｄ通信のためのＤ２ＤＳＳ送信についての監視スケジュールを決定するための手段であり得る。
【００６０】
[0066]送信機３１５−ａは、ＵＥ１１５−ｃの他の構成要素から受信された１つまたは複数の信号を送信し得る。たとえば、送信機３１５−ａは、ＵＥ１１５−ｃが検出されるように、および／またはＵＥ１１５−ｃがＤ２Ｄ通信を介して通信する他のＵＥと同期できるようにするために、ＵＥ１１５−ｃからのＤ２ＤＳＳを送信し得る。いくつかの実施形態では、送信機３１５−ａは、トランシーバモジュールにおいて受信機３０５−ａとコロケートされ得る。送信機３１５−ａは、単一のアンテナを含み得、または送信機３１５−ａは、複数のアンテナを含み得る。
【００６１】
[0067]図５に、様々な実施形態による、Ｄ２Ｄ通信のためのＵＥ１１５−ｄのブロック図５００を示す。ＵＥ１１５−ｄは、図１を参照しながら説明したＵＥ１１５の１つまたは複数の態様の一例であり得る。ＵＥ１１５−ｄは、受信機３０５−ｂ、Ｄ２Ｄ同期モジュール３１０−ｂ、および／または送信機３１５−ｂを含み得る。ＵＥ１１５−ｄはプロセッサも含み得る。これらの構成要素の各々は互いと通信していることがある。
【００６２】
[0068]ＵＥ１１５−ｄの構成要素は、個別にまたは集合的に、ハードウェア中の適用可能な機能の一部または全部を実施するように構成された１つまたは複数のＡＳＩＣを用いて実装され得る。代替的に、それらの機能は、１つまたは複数の他の処理ユニット（またはコア）によって、１つまたは複数の集積回路上で実行され得る。他の実施形態では、当技術分野で知られている任意の方式でプログラムされ得る他のタイプの集積回路（たとえば、ストラクチャード／プラットフォームＡＳＩＣ、ＦＰＧＡ、および他のセミカスタムＩＣ）が使用され得る。各ユニットの機能はまた、全体的または部分的に、１つまたは複数の汎用プロセッサまたは特定用途向けプロセッサによって実行されるようにフォーマットされた、メモリに組み込まれた命令を用いて実装され得る。
【００６３】
[0069]受信機３０５−ｂは、パケット、ユーザデータ、および／または様々な情報チャネル（たとえば、制御チャネル、データチャネルなど）に関連付けられた制御情報などの情報を受信し得る。たとえば、受信機３０５−ｂは、ソースＵＥから１つまたは複数のＤ２ＤＳＳを受信し得る。Ｄ２ＤＳＳは、Ｄ２ＤＳＳ送信のために割り当てられたアップリンクリソースを介して受信され得る。いくつかの態様では、ＰＤ２ＤＳＣＨが、定義され得、および／またはＤ２ＤＳＳ送信とともに追加の同期情報を送るために他の何らかの形で使用され得る。ソースＵＥからのＤ２ＤＳＳは、Ｄ２Ｄ通信の検出および同期のために受信され得る。受信機３０５−ｂは、単独で、またはＤ２Ｄ同期モジュール３１０−ｂと組み合わせて、Ｄ２ＤＳＳの監視スケジュールを決定するための手段であり得る。
【００６４】
[0070]Ｄ２Ｄ同期モジュール３１０−ｂは、図３または図４に関して論じたＤ２Ｄ同期モジュール３１０の一例であり得、スケジューリング管理モジュール４０５−ａおよび監視管理モジュール４１０−ａを含み得る。スケジューリング管理モジュール４０５−ａは、同期サイクル管理モジュール５０５と、監視期間管理モジュール５１０と、サブ監視期間管理モジュール５１５とを含み得る。同期サイクル管理モジュール５０５は、Ｄ２Ｄ通信を介して通信するソースＵＥに関連する同期サイクルを特定し、または他の何らかの形で決定し得る。同期サイクル管理モジュール５０５は、ソースＵＥからのＤ２ＤＳＳの定期的なスケジュールを決定し、監視期間の持続時間に基づいて同期サイクルを決定するために、監視期間管理モジュール５１０と通信し得る。監視期間管理モジュール５１０は、ソースＵＥからのＤ２ＤＳＳ送信のための監視期間を特定し、または他の何らかの形で決定し得る。監視期間は、たとえば、Ｄ２ＤＳＳの２つの連続した送信の開始時間の間の時間期間であり得、少なくとも１つの送信を検出するためにＵＥ１１５−ｄが別の方法でＤ２ＤＳＳ送信を監視し得る時間量を示し得る。監視期間管理モジュール５１０は、Ｄ２Ｄ通信に参加しているＵＥが既知の定期的なスケジュールでＤ２ＤＳＳ送信を送り得ることをアプリオリ（a priori）に知っている可能性がある。他の例では、ＵＥ１１５−ｄは、Ｄ２Ｄ通信のためのＤ２ＤＳＳ送信の定期的なスケジュールを示す情報を含む１つまたは複数のメッセージをサービングセルから（または別のエンティティからサービングセルを介して）受信し得る。いくつかの例では、ＵＥ１１５−ｄは、Ｄ２Ｄ通信を確立するために、Ｄ２ＤＳＳを介してソースＵＥを検出し、それと同期させることを依然として望み得る。
【００６５】
[0071]サブ監視期間管理モジュール５１５は、監視期間の持続時間に基づいてサブ監視期間を特定し、または他の何らかの形で決定するように構成され得る。サブ監視期間の累積持続時間は、監視期間の持続時間と同じであり得る。サブ監視期間管理モジュール５１５は、監視期間の持続時間の間、他のアクティビティの中断なしにＤ２ＤＳＳの検出を確実にするために、同期サイクル中に生じる監視期間にわたって生じるようにサブ監視期間をスケジュールし得る。
【００６６】
[0072]監視管理モジュール４１０−ａは、スケジューリング管理モジュール４０５−ａと通信し、スケジュールされたサブ監視期間に従ってソースＵＥからのＤ２ＤＳＳを監視し得る。監視管理モジュール４１０−ａは、スケジュールされたサブ監視期間中にソースＵＥからの１つまたは複数のＤ２ＤＳＳ送信を受信するために、受信機３０５−ｂと通信し得る。Ｄ２Ｄ同期モジュール３１０−ｂは、たとえば、図２に関して上記で説明した監視方式（ａ）〜（ｄ）のうちの１つまたは複数など、Ｄ２Ｄ通信のためのＤ２ＤＳＳ送信についての監視スケジュールを決定するための手段であり得る。
【００６７】
[0073]送信機３１５−ｂは、ＵＥ１１５−ｄの他の構成要素から受信された１つまたは複数の信号を送信し得る。たとえば、送信機３１５−ｂは、ＵＥ１１５−ｄが検出されるように、および／またはＵＥ１１５−ｄがＤ２Ｄ通信を介して通信する他のＵＥと同期できるようにするために、ＵＥ１１５−ｄからのＤ２ＤＳＳを送信し得る。いくつかの実施形態では、送信機３１５−ｂは、トランシーバモジュールにおいて受信機３０５−ｂとコロケートされ得る。送信機３１５−ｂは、単一のアンテナを含み得、または送信機３１５−ｂは、複数のアンテナを含み得る。
【００６８】
[0074]図６に、様々な実施形態による、Ｄ２Ｄ通信のためのシステム６００の図を示す。システム６００は、図１、図３、図４、および／または図５に関するＵＥ１１５の一例であり得るＵＥ１１５−ｅを含み得る。ＵＥ１１５−ｆは、ソースＵＥであり得、通信を送信するための構成要素と通信を受信するための構成要素とを含む、双方向音声およびデータ通信のための構成要素を含み得る。
【００６９】
[0075]ＵＥ１１５−ｅは、アンテナ６４０と、トランシーバモジュール６３５と、プロセッサモジュール６０５と、（ソフトウェア（ＳＷ）６２０を含む）メモリ６１５とを含み得、それらは、それぞれ（たとえば、１つまたは複数のバス６４５を介して）直接または間接的に互いに通信し得る。トランシーバモジュール６３５は、上記で説明したように、アンテナ６４０、および／あるいは１つまたは複数のワイヤードもしくはワイヤレスリンクを介して、１つまたは複数のネットワークと双方向に通信するように構成され得る。たとえば、トランシーバモジュール６３５は、基地局１０５−ａおよび／またはＵＥ１１５−ｆと双方向に通信するように構成され得る。トランシーバモジュール６３５は、パケットを変調し、送信するために変調されたパケットをアンテナ６４０に供給し、アンテナ６４０から受信されたパケットを復調するように構成されたモデムを含み得る。ＵＥ１１５−ｅは単一のアンテナ６４０を含み得るが、ＵＥ１１５−ｅはまた、複数のワイヤレス送信を同時に送信および／または受信することが可能な複数のアンテナ６４０を有し得る。トランシーバモジュール６３５はまた、１つまたは複数の基地局１０５と同時に通信することが可能であり得る。基地局通信モジュール６２５は、１つまたは複数の基地局とのそのような通信に関係する動作を実行し得る。
【００７０】
[0076]メモリ６１５は、ランダムアクセスメモリ（ＲＡＭ）および読取り専用メモリ（ＲＯＭ）を含み得る。メモリ６１５は、実行されるとプロセッサモジュール６０５に本明細書で説明する様々な機能（たとえば、呼処理、データベース管理、監視期間管理の処理、モジュール管理など）を実行させるように構成された命令を含んでいるコンピュータ可読、コンピュータ実行可能ソフトウェア／ファームウェアコード６２０を記憶し得る。代替的に、ソフトウェア／ファームウェアコード６２０は、プロセッサモジュール６０５によって直接的に実行可能でないことがあるが、（たとえば、コンパイルされ実行されたとき）コンピュータに本明細書で説明する機能を実行させるように構成され得る。プロセッサモジュール６０５は、インテリジェントハードウェアデバイス、たとえば、中央処理ユニット（ＣＰＵ）、マイクロコントローラ、ＡＳＩＣなどを含み得る。
【００７１】
[0077]Ｄ２Ｄ同期モジュール６１０は、ソースＵＥ（たとえば、ＵＥ１１５−ｆ）からのＤ２ＤＳＳ送信を検出するための監視方式を特定または何らかの形で決定し、図１〜図５に関して上述したようにＤ２ＤＳＳ検出および同期に関する動作を実行するように構成され得る。たとえば、ＵＥ１１５−ｆがソースＤ２Ｄ送信デバイスである場合、Ｄ２Ｄ同期モジュール６１０は、繰返しスケジュールでＤ２ＤＳＳを送るソースＵＥ１１５−ｆに関連するサイクルを決定し得る。Ｄ２Ｄ同期モジュール６１０は、同期サイクル中に生じるＤ２ＤＳＳの少なくとも２つの連続した送信の開始時間をカバーする持続時間を有し得る監視期間を決定し得る。同期サイクルは、いくつかの監視期間を含む時間期間を含み得る。また、Ｄ２Ｄ同期モジュール６１０は、監視期間の持続時間に基づいてサブ監視期間を決定し得る。一例として、Ｄ２Ｄ同期モジュール６１０は、監視期間の持続時間をいくつかのサブ監視期間に分割することができ、ここで、サブ監視期間の各々の累積持続時間は監視期間と同じである。Ｄ２Ｄ同期モジュール６１０は、ソースＵＥ１１５−ｆからのＤ２ＤＳＳについてサブ監視期間に従ってスケジュールし、監視し得る。いくつかの態様では、Ｄ２Ｄ同期モジュール６１０は、同期サイクルの異なる監視期間中に生じるように、サブ監視期間をスケジュールし得る。したがって、Ｄ２Ｄ同期モジュール６１０は、図１、図３、図４および／または図５に関して上述した様々な機能を実行するための動作を実行するように構成され得る。Ｄ２Ｄ同期モジュール６１０は、図２〜図５に関して説明したＤ２Ｄ同期モジュール３１０の一例であり得る。
【００７２】
[0078]図７は、様々な実施形態による、Ｄ２Ｄ通信などのワイヤレス通信のための方法を示すフローチャート７００を示す。フローチャート７００の機能は、図１、図３、図４、図５、および／または図６を参照しながら説明したように、ＵＥ１１５などのシステムデバイスまたはそれの構成要素によって実装され得る。いくつかの例では、ＵＥ１１５のうちの１つなどのシステムデバイスが、以下で説明する機能を実施するようにデバイスの機能要素を制御するためのコードの１つまたは複数のセットを実行し得る。
【００７３】
[0079]ブロック７０５で、Ｄ２Ｄソースから定期的なスケジュールで送信される１つまたは複数のＤ２Ｄ同期信号を備える同期サイクルが決定される。同期サイクルは、既知であり得、サービングセルからの１つまたは複数のメッセージを介してシグナリングされ得、および／または監視期間の持続時間に基づいて決定され得る。ブロック７１０で、定期的なスケジュールに少なくとも部分的に基づいて同期サイクル中に生じるＤ２Ｄ同期信号の少なくとも２つの連続的な送信の開始時間に少なくとも部分的に基づいて監視期間が決定され得る。同期サイクルは、複数の監視期間を備える。監視期間は、たとえば、少なくとも１つのＤ２ＤＳＳ送信を検出するのに十分な時間期間であり得る。
【００７４】
[0080]ブロック７１５で、監視期間の持続時間に少なくとも部分的に基づいて複数のサブ監視期間が決定され得、ここにおいて、複数のサブ監視期間の累積持続時間は、監視期間の持続時間と同じである。たとえば、監視期間の長さは、同期サイクルの異なる監視期間中にスケジュールすることができるより小さいサブ監視期間に分割され得る。ブロック７２０で、サブ監視期間に少なくとも部分的に基づいて、１つまたは複数のＤ２Ｄ同期信号のうちの少なくとも１つについて監視する。サブ監視期間は、同期サイクルの異なる監視期間にわたって生じるようにスケジュールされ得る。サブ監視期間は、同じ長さを有し得、または異なる長さを有し得る。さらに、サブ監視期間は、監視期間にわたって連続的または非連続的にスケジュールされ得る。
【００７５】
[0081]フローチャート７００の方法は一実装形態にすぎないこと、ならびに本方法の動作は、他の実装形態が可能であるように、並べ替えられるかまたは場合によっては修正され得ることに留意されたい。
【００７６】
[0082]図８は、様々な実施形態による、Ｄ２Ｄ通信などのワイヤレス通信のための方法を示すフローチャート８００を示す。フローチャート８００の機能は、図１、図３、図４、図５、および／または図６を参照しながら説明したように、ＵＥ１１５などのシステムデバイスまたはそれの構成要素によって実装され得る。いくつかの例では、ＵＥ１１５のうちの１つなどのシステムデバイスが、以下で説明する機能を実施するようにデバイスの機能要素を制御するためのコードの１つまたは複数のセットを実行し得る。
【００７７】
[0083]ブロック８０５で、Ｄ２Ｄソースから定期的なスケジュールで送信される１つまたは複数のＤ２Ｄ同期信号を備える同期サイクルが決定される。同期サイクルは、既知であり得、サービングセルからの１つまたは複数のメッセージを介してシグナリングされ得、および／または監視期間の持続時間に基づいて決定され得る。ブロック８１０で、定期的なスケジュールに少なくとも部分的に基づいて同期サイクル中に生じるＤ２Ｄ同期信号の少なくとも２つの連続的な送信の開始時間に少なくとも部分的に基づいて監視期間が決定され得る。同期サイクルは、複数の監視期間を備え得る。監視期間は、たとえば、少なくとも１つのＤ２ＤＳＳ送信を検出するのに十分な時間期間であり得る。
【００７８】
[0084]ブロック８１５で、監視期間の持続時間に少なくとも部分的に基づいて複数のサブ監視期間が決定され得、ここにおいて、複数のサブ監視期間の累積持続時間は、監視期間の持続時間と同じである。たとえば、監視期間の長さは、同期サイクルの異なる監視期間中にスケジュールすることができる、より小さいサブ監視期間に分割され得る。ブロック８２０で、複数のサブ監視期間は、同期サイクル中に生じる監視期間の一部分の間に生じるようにスケジュールされ得、ここにおいて、複数のサブ監視期間の各々が、異なる監視期間中にスケジュールされる。たとえば、第１のサブ監視期間は、同期サイクルの第１の監視期間中に生じ得、第２の監視期間は、同期サイクルの第４の監視期間中に生じ得る。したがって、同期サイクル中に生じる監視期間の一部分は、スケジュールされたサブ監視期間を含まないことがある。
【００７９】
[0085]ブロック８２５で、サブ監視期間に少なくとも部分的に基づいて、１つまたは複数のＤ２Ｄ同期信号のうちの少なくとも１つについて監視する。サブ監視期間は、同期サイクルの異なる監視期間にわたって生じるようにスケジュールされ得る。サブ監視期間は、同じ長さを有することができ、または異なる長さを有することができる。さらに、サブ監視期間は、監視期間にわたって連続的または非連続的にスケジュールされ得る。
【００８０】
[0086]フローチャート８００の方法は一実装形態にすぎないこと、ならびに本方法の動作は、他の実装形態が可能であるように、並べ替えられるかまたは場合によっては修正され得ることに留意されたい。
【００８１】
[0087]図９は、様々な実施形態による、Ｄ２Ｄ通信などのワイヤレス通信のための方法を示すフローチャート９００を示す。フローチャート９００の機能は、図１、図３、図４、図５、および／または図６を参照しながら説明したように、ＵＥ１１５などのシステムデバイスまたはそれの構成要素によって実装され得る。いくつかの例では、ＵＥ１１５のうちの１つなどのシステムデバイスが、以下で説明する機能を実施するようにデバイスの機能要素を制御するためのコードの１つまたは複数のセットを実行し得る。
【００８２】
[0088]ブロック９０５で、Ｄ２Ｄソースから定期的なスケジュールで送信される１つまたは複数のＤ２Ｄ同期信号を備える同期サイクルが決定される。同期サイクルは、既知であり得、サービングセルからの１つまたは複数のメッセージを介してシグナリングされ得、および／または監視期間の持続時間に基づいて決定され得る。ブロック９１０で、定期的なスケジュールに少なくとも部分的に基づいて同期サイクル中に生じるＤ２Ｄ同期信号の少なくとも２つの連続的な送信の開始時間に少なくとも部分的に基づいて監視期間が決定され得る。同期サイクルは、複数の監視期間を備える。監視期間は、たとえば、少なくとも１つのＤ２ＤＳＳ送信を検出するのに十分な時間期間であり得る。
【００８３】
[0089]ブロック９１５で、監視期間の持続時間に少なくとも部分的に基づいて複数のサブ監視期間が決定され得、ここにおいて、複数のサブ監視期間の累積持続時間は、監視期間の持続時間と同じである。たとえば、監視期間の長さは、同期サイクルの異なる監視期間中にスケジュールすることができるより小さいサブ監視期間に分割され得る。ブロック９２０で、同期サイクル中の各監視期間中に生じるように複数のサブ監視期間のうちの少なくとも１つがスケジュールされ得、ここにおいて、複数のサブ監視期間の各々が、異なる監視期間中にスケジュールされる。すなわち、同期サイクルの各監視期間は、少なくとも１つのスケジュールされたサブ監視期間を含み得る。いくつかの態様では、その関連する監視期間中にスケジュールされたサブ監視期間の各々は、異なる時間ブロック中に生じ得る。一例では、サブ監視期間は、連続的にスケジュールされ得、ここにおいて、第１の監視期間の第１の時間ブロック中に第１のサブ監視期間が生じ、第２の監視期間の第２の時間ブロック中に第２のサブ監視期間が生じるようにスケジュールされる。サブ監視期間は、非連続的にスケジュールされ得る。
【００８４】
[0090]ブロック９２５で、サブ監視期間に少なくとも部分的に基づいて、１つまたは複数のＤ２Ｄ同期信号のうちの少なくとも１つについて監視が行われ得る。サブ監視期間は、同期サイクルの異なる監視期間にわたって生じるようにスケジュールされ得る。サブ監視期間は、同じ長さを有することができ、または異なる長さを有することができる。
【００８５】
[0091]フローチャート９００の方法は一実装形態にすぎないこと、ならびに本方法の動作は、他の実装形態が可能であるように、並べ替えられるかまたは場合によっては修正され得ることに留意されたい。
【００８６】
[0092]添付の図面に関して上に記載された発明を実施するための形態は、例示的な実施形態について説明しており、実装され得るまたは特許請求の範囲内に入る実施形態のみを表すものではない。この説明にわたって使用される「例」または「例示的」という用語は、「例、事例、または例示の働きをすること」を意味し、「好ましい」または「他の実施形態よりも有利な」を意味しない。詳細な説明は、説明する技法の理解を与えるための具体的な詳細を含む。しかしながら、これらの技法は、これらの特定の具体的な詳細なしに実践され得る。いくつかの事例では、説明した実施形態の概念を不明瞭にすることを回避するために、よく知られている構造およびデバイスはブロック図の形式で示されている。
【００８７】
[0093]情報および信号は、多種多様な技術および技法のいずれかを使用して表され得る。たとえば、上の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【００８８】
[0094]本明細書の開示に関して説明した様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、ディスクリートゲートまたはトランジスタ論理、ディスクリートハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、またはステートマシンであり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００８９】
[0095]本明細書で説明した機能は、ハードウェア、プロセッサによって実行されるソフトウェア、ファームウェア、またはそれらの組合せで実装され得る。プロセッサによって実行されるソフトウェアに実装される場合、機能は、１つまたは複数の命令またはコードとして、コンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質のために、前述の機能は、プロセッサ、ハードウェア、ファームウェア、ハードワイヤリング、またはこれらの任意の組合せによって実行されるソフトウェアを使用して実装され得る。機能を実装する特徴はまた、異なる物理ロケーションにおいて機能の部分が実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【００９０】
[0096]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、電気的消去可能プログラマブルＲＯＭ（ＥＥＰＲＯＭ（登録商標））、コンパクトディスク（ＣＤ）−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００９１】
[0097]「デバイス」および「装置」という用語は、互換的に使用されることがある。
【００９２】
[0098]本開示についての以上の説明は、当業者が本開示を作成または使用することができるように提供されたものである。本開示への様々な修正は当業者には容易に明らかとなり、本明細書で定義される一般原理は、本開示の範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書に記載された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信のための方法であって、
デバイス間（Ｄ２Ｄ）ソースから定期的なスケジュールで送信される１つまたは複数のＤ２Ｄ同期信号を備える同期サイクルを決定することと、
前記定期的なスケジュールに少なくとも部分的に基づいて前記同期サイクル中に生じる前記Ｄ２Ｄ同期信号の少なくとも２つの連続的な送信についての開始時間に少なくとも部分的に基づいて監視期間を決定することと、ここにおいて、前記同期サイクルの持続時間が、複数の監視期間を備える、
前記監視期間の持続時間に少なくとも部分的に基づいて、複数のサブ監視期間を決定することと、ここにおいて、前記複数のサブ監視期間の累積持続時間が、前記監視期間の前記持続時間と同じである、
前記複数のサブ監視期間に少なくとも部分的に基づいて、前記１つまたは複数のＤ２Ｄ同期信号のうちの少なくとも１つについて監視することと
を備える方法。
［Ｃ２］
前記複数のサブ監視期間の各々が、サブ監視持続時間を備え、各サブ監視持続時間が同じ長さである、Ｃ１に記載の方法。
［Ｃ３］
前記複数のサブ監視期間の各々が、サブ監視持続時間を備え、サブ監視持続時間のうちの少なくとも２つが異なる長さである、Ｃ１に記載の方法。
［Ｃ４］
前記複数のサブ監視期間を決定することが、
前記同期サイクル中に生じる前記複数の監視期間の一部分の間に生じるように前記複数のサブ監視期間をスケジュールすること、ここにおいて、前記複数のサブ監視期間の各々が、異なる監視期間中にスケジュールされる、
を備える、Ｃ１に記載の方法。
［Ｃ５］
前記複数のサブ監視期間が、各同期サイクルについての異なる監視期間中にスケジュールされる、Ｃ４に記載の方法。
［Ｃ６］
前記複数のサブ監視期間が、各同期サイクルについての同じ監視期間中にスケジュールされる、Ｃ４に記載の方法。
［Ｃ７］
各スケジュールされたサブ監視期間の時間ブロックが、前記Ｄ２Ｄソースの識別情報とＤ２Ｄサブフレーム番号のうちの１つまたは複数に少なくとも部分的に基づいて決定される、Ｃ４に記載の方法。
［Ｃ８］
前記複数のサブ監視期間を決定することが、
前記同期サイクル中の各監視期間中に生じるように前記複数のサブ監視期間のうちの少なくとも１つをスケジュールすること、ここにおいて、前記複数のサブ監視期間の各々が、異なる監視期間中にスケジュールされる、
を備える、Ｃ１に記載の方法。
［Ｃ９］
前記複数のサブ監視期間の各々が連続的にスケジュールされる、Ｃ８に記載の方法。
［Ｃ１０］
前記複数のサブ監視期間を連続的にスケジュールすることが、
第１の監視期間の第１の時間ブロック中に第１のサブ監視期間をスケジュールすることと、
第２の監視期間の第２の時間ブロック中に第２のサブ監視期間をスケジュールすることと、ここで、前記第２の監視期間の前記第２の時間ブロックが、前記第２の監視期間の第１の時間ブロックに隣接する、
を備える、Ｃ９に記載の方法。
［Ｃ１１］
前記複数のサブ監視期間の各々が非連続的にスケジュールされる、Ｃ８に記載の方法。
［Ｃ１２］
前記複数のサブ監視期間を非連続的にスケジュールすることが、
第１の監視期間の第１の時間ブロック中に第１のサブ監視期間をスケジュールすることと、
第２の監視期間の第２の時間ブロック中に第２のサブ監視期間をスケジュールすることと、ここで、前記第２の監視期間の前記第２の時間ブロックが、前記第２の監視期間の第１の時間ブロックに隣接しない、
を備える、Ｃ１１に記載の方法。
［Ｃ１３］
各スケジュールされたサブ監視期間の時間ブロックが、前記Ｄ２Ｄソースの識別情報とＤ２Ｄサブフレーム番号のうちの１つまたは複数に少なくとも部分的に基づいて決定される、Ｃ８に記載の方法。
［Ｃ１４］
ワイヤレス通信のための装置であって、
プロセッサと、
前記プロセッサと電子通信しているメモリと、
前記メモリに記憶されている命令とを備え、前記命令が、
デバイス間（Ｄ２Ｄ）ソースから定期的なスケジュールで送信される１つまたは複数のＤ２Ｄ同期信号を備える同期サイクルを決定することと、
前記定期的なスケジュールに少なくとも部分的に基づいて前記同期サイクル中に生じる前記Ｄ２Ｄ同期信号の少なくとも２つの連続的な送信についての開始時間に少なくとも部分的に基づいて監視期間を決定することと、ここにおいて、前記同期サイクルの持続時間が、複数の監視期間を備える、
前記監視期間の持続時間に少なくとも部分的に基づいて、複数のサブ監視期間を決定することと、ここにおいて、前記複数のサブ監視期間の累積持続時間が、前記監視期間の前記持続時間と同じである、
前記複数のサブ監視期間に少なくとも部分的に基づいて、前記１つまたは複数のＤ２Ｄ同期信号のうちの少なくとも１つについて監視することと
を行うように前記プロセッサによって実行可能である、
装置。
［Ｃ１５］
前記複数のサブ監視期間の各々が、サブ監視持続時間を備え、各サブ監視持続時間は同じ長さである、Ｃ１４に記載の装置。
［Ｃ１６］
前記複数のサブ監視期間の各々が、サブ監視持続時間を備え、サブ監視持続時間のうちの少なくとも２つが異なる長さである、Ｃ１４に記載の装置。
［Ｃ１７］
前記複数のサブ監視期間を決定するための前記命令が、
前記同期サイクル中に生じる前記複数の監視期間の一部分の間に生じるように前記複数のサブ監視期間をスケジュールすること、ここにおいて、前記複数のサブ監視期間の各々が、異なる監視期間中にスケジュールされる、
を行うように前記プロセッサによってさらに実行可能である、Ｃ１４に記載の装置。
［Ｃ１８］
前記複数のサブ監視期間が、各同期サイクルについての異なる監視期間中にスケジュールされる、Ｃ１７に記載の装置。
［Ｃ１９］
前記複数のサブ監視期間が、各同期サイクルについての同じ監視期間中にスケジュールされる、Ｃ１７に記載の装置。
［Ｃ２０］
各スケジュールされたサブ監視期間の時間ブロックが、前記Ｄ２Ｄソースの識別情報とＤ２Ｄサブフレーム番号のうちの１つまたは複数に少なくとも部分的に基づいて決定される、Ｃ１７に記載の装置。
［Ｃ２１］
前記複数のサブ監視期間を決定するための前記命令が、
前記同期サイクル中の各監視期間中に生じるように前記複数のサブ監視期間のうちの少なくとも１つをスケジュールすること、ここにおいて、前記複数のサブ監視期間の各々が、異なる監視期間中にスケジュールされる、
を行うように前記プロセッサによってさらに実行可能である、Ｃ１４に記載の装置。
［Ｃ２２］
前記複数のサブ監視期間の各々が連続的にスケジュールされる、Ｃ２１に記載の装置。
［Ｃ２３］
前記複数のサブ監視期間を連続的にスケジュールするための前記命令が、
第１の監視期間の第１の時間ブロック中に第１のサブ監視期間をスケジュールすることと、
第２の監視期間の第２の時間ブロック中に第２のサブ監視期間をスケジュールすることと、ここで、前記第２の監視期間の前記第２の時間ブロックが、前記第２の監視期間の第１の時間ブロックに隣接する、
を行うように前記プロセッサによってさらに実行可能である、Ｃ２２に記載の装置。
［Ｃ２４］
前記複数のサブ監視期間の各々が非連続的にスケジュールされる、Ｃ２１に記載の装置。
［Ｃ２５］
前記複数のサブ監視期間を非連続的にスケジュールするための前記命令が、
第１の監視期間の第１の時間ブロック中に第１のサブ監視期間をスケジュールすることと、
第２の監視期間の第２の時間ブロック中に第２のサブ監視期間をスケジュールすることと、前記第２の監視期間の前記第２の時間ブロックが、前記第２の監視期間の第１の時間ブロックに隣接しない、
を行うように前記プロセッサによってさらに実行可能である、Ｃ２４に記載の装置。
［Ｃ２６］
各スケジュールされたサブ監視期間の時間ブロックが、前記Ｄ２Ｄソースの識別情報とＤ２Ｄサブフレーム番号のうちの１つまたは複数に少なくとも部分的に基づいて決定される、Ｃ２１に記載の装置。
［Ｃ２７］
ワイヤレス通信のための装置であって、
デバイス間（Ｄ２Ｄ）ソースから定期的なスケジュールで送信される１つまたは複数のＤ２Ｄ同期信号を備える同期サイクルを決定するための手段と、
前記定期的なスケジュールに少なくとも部分的に基づいて前記同期サイクル中に生じる前記Ｄ２Ｄ同期信号の少なくとも２つの連続的な送信についての開始時間に少なくとも部分的に基づいて監視期間を決定するための手段と、ここにおいて、前記同期サイクルの持続時間が、複数の監視期間を備える、
前記監視期間の持続時間に少なくとも部分的に基づいて、複数のサブ監視期間を決定するための手段と、ここにおいて、前記複数のサブ監視期間の累積持続時間が、前記監視期間の前記持続時間と同じである、
前記複数のサブ監視期間に少なくとも部分的に基づいて、前記１つまたは複数のＤ２Ｄ同期信号のうちの少なくとも１つについて監視するための手段と
を備える装置。
［Ｃ２８］
前記複数のサブ監視期間の各々が、サブ監視持続時間を備え、各サブ監視持続時間は同じ長さである、Ｃ２７に記載の装置。
［Ｃ２９］
前記複数のサブ監視期間の各々が、サブ監視持続時間を備え、サブ監視持続時間のうちの少なくとも２つが異なる長さである、Ｃ２７に記載の装置。
［Ｃ３０］
ワイヤレス通信のためのコンピュータ実行可能コードを記憶する非一時的コンピュータ可読媒体であって、前記コードが、
デバイス間（Ｄ２Ｄ）ソースから定期的なスケジュールで送信される１つまたは複数のＤ２Ｄ同期信号を備える同期サイクルを決定することと、
前記定期的なスケジュールに少なくとも部分的に基づいて前記同期サイクル中に生じる前記Ｄ２Ｄ同期信号の少なくとも２つの連続的な送信についての開始時間に少なくとも部分的に基づいて監視期間を決定することと、ここにおいて、前記同期サイクルの持続時間が、複数の監視期間を備える、
前記監視期間の持続時間に少なくとも部分的に基づいて、複数のサブ監視期間を決定することと、ここにおいて、前記複数のサブ監視期間の累積持続時間が、前記監視期間の前記持続時間と同じである、
前記複数のサブ監視期間に少なくとも部分的に基づいて、前記１つまたは複数のＤ２Ｄ同期信号のうちの少なくとも１つについて監視することと
を行うようにプロセッサによって実行可能である、
非一時的コンピュータ可読媒体。
【図１】
0006692793.tif 000002
【図２】
0006692793.tif 000003
【図３】
0006692793.tif 000004
【図４】
0006692793.tif 000005
【図５】
0006692793.tif 000006
【図６】
0006692793.tif 000007
【図７】
0006692793.tif 000008
【図８】
0006692793.tif 000009
【図９】
0006692793.tif 000010